(57)【要約】【課題】簡単な構成で撮影時の環境情報を取得し、手軽に臨場感のある画像再生を行なう。【解決手段】撮影と同時に音声，日時，ＧＰＳの各データが取得される。ＧＰＳデータは、ＧＰＳ−住所対比テーブル４０で住所データに変換される。制御部１８は無線ＬＡＮ回路４２を駆動して環境情報データベースサーバ４６にアクセスし、住所データと日時データの両方を満たす環境情報を検索し、温度データ，湿度データを内部メモリ３４にダウンロードする。画像データと環境情報が圧縮されて１個の画像ファイルとしてメモリカード３８に記憶される。メモリカード３８をパソコンに装着して画像を選択すると、画像がＬＣＤに表示されるとともに画像ファイルから環境情報が読み出され、音声データに基づいてスピーカシステムが駆動され、温度データ，湿度データに基づいてエアコンが駆動され、シャッタスピード等の露出情報に基づいて室内照明機器の明るさが調節される。【選択図】図１
2008005297.tif 000002
【特許請求の範囲】
【請求項１】
撮像素子から出力された画像信号をデジタルの画像データに変換して記録媒体に記録する撮影装置と、前記記録媒体に記録された画像データに基づいて画像を表示部に再生表示する画像再生装置とからなる画像撮影再生システムにおいて、
前記撮影装置は、撮影時の地理的位置情報を取得する位置情報取得装置と、撮影日時情報を取得する時計装置と、通信ネットワーク上のデータベースにアクセスして前記地理的位置情報と撮影日時情報とに基づく環境情報を取得する通信装置と、前記環境情報を前記画像データと関連付けて記録媒体に記録する制御部とを備え、
前記画像再生装置は、前記画像データに基づいて画像を表示部に再生表示する際に、前記画像データと関連付けられた環境情報を記録媒体から読み出し、前記環境情報に基づいて撮影時の環境を再現する環境再現手段を備えた
ことを特徴とする画像撮影再生システム。
【請求項２】
撮像素子から出力された画像信号をデジタルの画像データに変換して記録媒体に記録する撮影装置と、前記記録媒体に記録された画像データに基づいて画像を表示部に再生表示する画像再生装置とからなる画像撮影再生システムにおいて、
前記撮影装置は、撮影時の地理的位置情報を取得する位置情報取得装置と、撮影日時情報を取得する時計装置と、前記地理的位置情報と撮影日時情報とを前記画像データと関連付けて記録媒体に記録する制御部とを備え、
前記画像再生装置は、前記画像データと関連付けられた地理的位置情報と撮影日時情報とを前記記録媒体から読み出し、通信ネットワーク上のデータベースにアクセスして前記地理的位置情報と撮影日時情報とに基づく環境情報を取得する通信装置と、前記画像データに基づいて画像を表示部に再生表示する際に、前記通信装置によって取得された環境情報に基づいて撮影時の環境を再現する環境再現手段とを備えた
ことを特徴とする画像撮影再生システム。
【請求項３】
前記環境情報は、撮影時の温度，湿度，風速，風向のうち少なくとも１つ以上を含むことを特徴とする請求項１または２記載の画像撮影再生システム。
【発明の詳細な説明】
【技術分野】
【０００１】
本発明は、画像撮影再生システムに関し、更に詳しくは撮影時の環境情報を記録し、画像の再生表示時に撮影時の環境を再現する画像撮影再生システムに関するものである。
【背景技術】
【０００２】
撮影時の環境情報を記録し、画像の再生表示時に撮影時の環境を再現する画像撮影再生システムとしては、特許文献１記載のビデオ記録装置及び再生装置が知られている。このビデオ記録装置は、ビデオ撮影時にＣＣＤおよびマイクロフォンによって映像および音声を収録し、それぞれ所定の信号処理を施してＶＴＲ部で磁気テープに記録する。これと同時に撮影時の現場の環境である撮影時の音，温度，風向風速，傾斜，色温度照度，加速度，方向をそれぞれの測定装置を用いて測定し、これをビデオテープに記録する。再生時には、モニタやスピーカで映像／音声が再現されると共に、温度，湿度がエアコンで、風向，風速が送風機で、傾斜，加速度などが支柱制御によって、照度が照明燈によって再現される。映像／音声と共に撮影時の現場の環境が再現されるため、観客は、より高い現実感を体験することができる。
【０００３】
また、特許文献２記載の居室環境演出装置は、温湿度環境制御装置，空気質環境制御装置，光環境制御装置，音響映像環境制御装置，環境情報記憶部，タイミング制御部，制御部を備え、この制御部は、環境情報記憶部から所定の環境情報を抽出し、この抽出された環境情報を音響映像環境制御装置に伝達するとともに、温湿度環境制御装置，空気質環境制御装置，光環境制御装置のうちの少なくとも一つの環境制御装置に、タイミング制御部によってタイミングを合わせて伝達する。これにより、居室内では音響と映像とともに、それに応じた環境が演出される。
【０００４】
また、特許文献３記載の高臨場感再生装置は、映像信号と付加情報（撮影場所、撮影日時、天気情報など）を含む放送データを受信する受信部，受信した放送データを映像信号と付加情報に分割するデータ分割部，分割した付加情報から前記放送データの撮影環境を再現するための照明データを推定する照明推定部，推定された照明データに基づいて視聴環境を制御する視聴環境制御部を備える。視聴環境制御部は、前記放送データの撮影環境と同様な視聴環境になるように、前記照明データを元に照明部の色温度を調整する。
【０００５】
また、特許文献４記載の撮像装置は、温度センサと湿度センサを備えている。撮影時には、その温度センサと湿度センサで検出された温度と湿度のデータが撮影した画像データに付加されて記録メディアに記録される。再生時、温度、湿度又は温度と湿度を指定して検索すると、各画像データに付加された温度と湿度のデータに基づいて、指定された温度、湿度又は温度と湿度の画像データが検索され、その検索結果がモニタに再生表示される。
【０００６】
また、特許文献５記載のデジタルカメラは、通常の撮影モードだけでなく、撮影時の撮影環境情報を、撮影画像データと関連付けて記録する撮影環境情報記録モードを有する。撮影環境情報を検出する手段であるＧＰＳモジュールは、制御部により、常にホットスタート可能状態に制御される。
【０００７】
また、特許文献６記載の撮影場所情報付加システムは、観光地に設置された看板に取付けられたＩＣカードと、デジタルカメラとで構成される。ＩＣカードは、情報送信装置である無線タグが内蔵されており、デジタルカメラのリーダ部が近づけられた時に、観光地の位置、名称等の固定情報を撮影場所情報として外部に無線で送信する。デジタルカメラは、リーダ部によって無線タグから読取った撮影情報を記憶し、その後に撮影された画像データに撮影場所情報を付加して記録する。
【特許文献１】特開平０９−２０５６０７号公報
【特許文献２】特開２００５−０９８０４３号公報
【特許文献３】特開２００５−３１０６３０号公報
【特許文献４】特開２００５−１５１２８５号公報
【特許文献５】特開２００４−０６４５２７号公報
【特許文献６】特開２００５−２１７４７９号公報
【発明の開示】
【発明が解決しようとする課題】
【０００８】
上記のように撮影画像を臨場感をもって再生するには、撮影時に多くの環境情報を取得する必要がある。このため、多くの測定装置をカメラに搭載又は装着する必要があり、カメラの高価格化，大型化及び重量増加が避けられず、一般ユーザの手が届くようなものではなかった。
【０００９】
本発明は、上記のような問題点を解決するためになされたもので、多くの測定装置をカメラに搭載又は装着することなく、簡単な構成で撮影時の環境情報を取得し、手軽に臨場感のある画像再生を行なうことができる画像撮影再生システムを提供することを目的とする。
【課題を解決するための手段】
【００１０】
本発明の画像撮影再生システムは、撮像素子から出力された画像信号をデジタルの画像データに変換して記録媒体に記録する撮影装置と、前記記録媒体に記録された画像データに基づいて画像を表示部に再生表示する画像再生装置とからなる画像撮影再生システムにおいて、前記撮影装置は、撮影時の地理的位置情報を取得する位置情報取得装置と、撮影日時情報を取得する時計装置と、通信ネットワーク上のデータベースにアクセスして前記地理的位置情報と撮影日時情報とに基づく環境情報を取得する通信装置と、前記環境情報を前記画像データと関連付けて記録媒体に記録する制御部とを備え、前記画像再生装置は、前記画像データに基づいて画像を表示部に再生表示する際に、前記画像データと関連付けられた環境情報を記録媒体から読み出し、前記環境情報に基づいて撮影時の環境を再現する環境再現手段を備えたことを特徴とする。
【００１１】
また、撮像素子から出力された画像信号をデジタルの画像データに変換して記録媒体に記録する撮影装置と、前記記録媒体に記録された画像データに基づいて画像を表示部に再生表示する画像再生装置とからなる画像撮影再生システムにおいて、前記撮影装置は、撮影時の地理的位置情報を取得する位置情報取得装置と、撮影日時情報を取得する時計装置と、前記地理的位置情報と撮影日時情報とを前記画像データと関連付けて記録媒体に記録する制御部とを備え、前記画像再生装置は、前記画像データと関連付けられた地理的位置情報と撮影日時情報とを前記記録媒体から読み出し、通信ネットワーク上のデータベースにアクセスして前記地理的位置情報と撮影日時情報とに基づく環境情報を取得する通信装置と、前記画像データに基づいて画像を表示部に再生表示する際に、前記通信装置によって取得された環境情報に基づいて撮影時の環境を再現する環境再現手段とを備えたことを特徴とする。
【００１２】
また、前記環境情報は、撮影時の温度，湿度，風速，風向のうち少なくとも１つ以上を含むことを特徴とする。
【発明の効果】
【００１３】
本発明の画像撮影再生システムによれば、通信ネットワーク上のデータベースにアクセスして地理的位置情報と撮影日時情報とに基づく環境情報を取得し、この環境情報に基づいて撮影時の環境を再現するようにしたので、多くの測定装置をカメラに搭載又は装着することなく、簡単な構成で撮影時の環境情報を取得し、手軽に臨場感のある画像再生を行なうことができる。なお、前記環境情報としては、撮影時の温度，湿度，風速，風向のうち少なくとも１つ以上を含むことが好ましい。
【発明を実施するための最良の形態】
【００１４】
本発明の画像撮影再生システムの実施形態を示す図１及び図２において、画像撮影再生システムは、画像（静止画）を撮影するとともに撮影時の環境情報を取得するデジタルカメラ１１と、前記画像を表示部に再生表示するとともに前記環境情報に基づいて撮影時の環境を再現する画像再生装置１２とからなる。
【００１５】
デジタルカメラ１１の構成を示す図１において、撮像部１５はズームレンズ，フォーカスレンズ，絞り及び撮像素子であるＣＣＤからなり、操作部１６のシャッタボタンやズーム操作ボタンの操作に応動して制御部１８の指令信号により駆動される。前記ＣＣＤから出力されたアナログ信号は、信号処理部部２０でガンマ変換、ホワイトバランス処理，ゲイン調整などの信号処理が施された後、Ａ／Ｄ変換部２１によってデジタルの画像データに変換されてデジタル信号処理回路２２に供給される。
【００１６】
前記制御部１８は、所定のプログラムによって動作するプロセッサを主体に構成され、デジタルカメラ１１全体の動作を制御するとともに、後述するＡ／Ｄ変換機能も有する。また、制御部１８は、シャッタボタンの半押し操作による予備測光でＣＣＤから出力された輝度信号の輝度レベルが所定の閾値より低い場合には、シャッタボタンの全押し操作による本番撮影で自動的にストロボ制御部２４に指令信号を送出してストロボ発光部２５を発光させ、ストロボ撮影を行なう。
【００１７】
一方、音声がマイクロフォン２６によって電気信号に変換され音声信号とされる。この音声信号は、Ａ／Ｄ変換器２７に供給され、例えば所定のサンプリング周波数でサンプリングされデジタルの音声データに変換される。この音声データは、デジタル信号処理回路２２に供給される。
【００１８】
ＧＰＳモジュール３０は、ＧＰＳアンテナ３１を介してＧＰＳ衛星からの電波を受信し、撮影環境情報の１つである撮影時の位置情報を得る。ＧＰＳモジュール３０からの出力信号及び時計３２からの出力信号が常に制御部１８に供給されている。また、制御部１８は、ＧＰＳモジュール３０からのＧＰＳ信号及び時計３２からの日時信号を本番撮影に同期してデジタルのＧＰＳデータ，日時データに変換してから内部メモリ３４に記憶する。
【００１９】
前記内部メモリ３４に記憶されたＧＰＳデータは、ＧＰＳ−住所対比テーブル４０に入力され、該当する住所を示す住所データに変換される。制御部１８は、無線ＬＡＮ回路４２を駆動してアクセスポイント４４及びインターネット４５を介して環境情報データベースサーバ４６にアクセスし、前記住所データと日時データとに基づいて環境情報を検索する。なお、撮影場所の近郊に、前記アクセスポイント４４があるものとする。
【００２０】
環境情報データベースサーバ４６には、図３に示すように、地域Ａ，Ｂ，Ｃ・・・毎に日付及び時間毎の環境情報データベースが格納されている。前記住所データから地域が特定され、前記日時データからその日付と時刻に該当する温度と湿度（例えばａａ℃，ｂｂ％）が特定される。この温度と湿度の各データは、インターネット４５，アクセスポイント４４及び無線ＬＡＮ回路４２を介して内部メモリ３４にダウンロードされる。
【００２１】
前記温度データと湿度データは、デジタル信号処理回路２２に入力され、本番撮影で得られた画像データ，音声データ及びＧＰＳデータと一緒に、圧縮／伸張回路３６によって圧縮処理が施され、一つの画像ファイルとしてメモリカードスロットに装着されたメモリカード３８に記録される。
【００２２】
前記画像ファイルの一例を示す図４において、画像ファイル５０は、Ｔａｇ情報５１，サムネイル画像５２，前記画像データである主画像５３から構成される。Ｔａｇ情報５１は、日時データ（撮影年月日）５４や撮影時の設定モードなどのExifデータ５５と、撮影環境情報である音声データ５６，緯度，経度（ＧＰＳデータ）５７，温度データ５８，湿度データ５９とが、画像付属情報として格納される。
【００２３】
なお、前記サムネイル画像５２は、１６０×１２０画素のＪＰＥＧ圧縮静止画データであり、主画像の画素数に依らず一定である。これは、主画像のＹＣデータをリサイズ後、ＪＰＥＧ圧縮して生成される。主画像は、ユーザが設定した画素数、例えばＸＧＡ：１０２４×７６４画素のＪＰＥＧ圧縮静止画データである。
【００２４】
前記画像再生装置１２を示す図２において、画像再生装置１２は、前記メモリカード３８を装着するためのメモリカードスロットを備えたパーソナルコンピュータ（以下パソコン）６０と、これに接続されたＬＣＤ６２，スピーカシステム６３，温湿度環境制御装置６４，照明照度制御装置６５と、前記温湿度環境制御装置６４に接続された室内空調機器であるエアコン６６，前記照明照度制御装置６５に接続された室内照明機器（蛍光灯やダウンライトなど）６７と、パナコン６０をコントロールするリモコン６８とからなる。
【００２５】
前記温湿度環境制御装置６４は、温度データ５８と湿度データ５９に基づいてエアコン６６をコントロールする制御装置である。また、前記照明照度制御装置６５は、撮影時の被写体輝度（ＥＶ値）に基づいて室内照明機器の明るさをコントロールする制御装置である。また、前記リモコン６８には、ＬＣＤ６２に表示される画像を切り替える際に操作される画像切替ボタン６９と、室内の設定温度を切り替える際に操作される室温切替ボタン７０とが設けられている。
【００２６】
このように構成された画像撮影再生システムの作用を図５及び図６のフローチャートに従って説明する。まず、デジタルカメラ１1を所望の被写体に向けてシャッタボタンを全押しして本番撮影を行なう（ｓｔ１）。この撮影と同時にマイクロフォン２６により音声データ５６の取り込み（ｓｔ２）と、時計３２による日時データ５４の取得（ｓｔ３）が行なわれる。なお、音声データの取り込みは、シャッタボタンの全押しから、例えば２秒間行なわれる。
【００２７】
また、前記撮影と同時にＧＰＳモジュールから取り込まれたＧＰＳデータ５７は、一旦内部メモリに読み込まれた後（ｓｔ４）、ＧＰＳ−住所対比テーブル４０により住所データに変換される（ｓｔ５）。制御部１８は、無線ＬＡＮ回路４２を駆動して環境情報データベースサーバ４６にアクセスし、前記住所データと日時データ５４の両方を満たす環境情報を検索し（ｓｔ６）、この環境情報である温度データ５８，湿度データ５９を内部メモリ３４にダウンロードする（ｓｔ７）。
【００２８】
本番撮影で得られた画像データと環境情報（日時データ５４，音声データ５６，ＧＰＳデータ５７，温度データ５８，湿度データ５９）とが、デジタル信号処理回路２２から圧縮／伸張処理回路３６に送られて圧縮され、１個の画像ファイル５０としてメモリカード３８に記憶される（ｓｔ８）。
【００２９】
ユーザは、自分の部屋に戻って、前記メモリカード３８をデジタルカメラ１１から取り出してパソコン６０のメモリカードスロットに装着する。そして、パソコン６０を操作して、パソコン６０に予めインストールされている専用のソフトウエアを立ち上げて、メモリカード３８から画像ファイルを読み込む（ｓｔ１１）。
【００３０】
各画像ファイルからサムネイル画像５２が読み出され、ＬＣＤ６２に一覧表示されるから、ユーザは、リモコン６８の画像切替ボタン６９を操作してカーソル（図示せず）を移動させて再生表示させたい所望の画像に合わせてからリモコン６８の実行ボタン（図示せず）を押して選択する（ｓｔ１２）。これにより、選択された画像の画像ファイル５０から主画像５３が読み出され、ＬＣＤ６２の画面一杯に再生表示される（ｓｔ１３）。
【００３１】
これと同時に、画像ファイル５０から環境情報が読み出され（ｓｔ１４）、音声データ５６に基づいてスピーカシステム６３が駆動されると同時に、温度データ５８，湿度データ５９に基づいて温湿度環境制御装置６４が駆動され、撮影時の温度，湿度とほぼ同じとなるようにエアコン６６が運転される。
【００３２】
また、これと同時に、Exifデータ５５に記録されているシャッタスピード，絞り値，ＩＳＯ感度などの露出情報に基づいて撮影時の被写体輝度（ＥＶ値）が算出され、これに基づいて照明照度制御装置６５が駆動され、室内の蛍光灯やダウンライトなどの室内照明機器６７の明るさが撮影時の明るさとほぼ同じとなるように調節される（ｓｔ１５）。
【００３３】
このように所望の画像を再生表示すると同時に、撮影時に録音された音が再生され、また室内の温度，湿度，明るさが撮影時とほぼ同じ状態に調節されるから、ユーザは臨場感のある画像鑑賞を楽しむことができる。また、大掛かりな専用の装置ではなく、通常のエアコンや室内照明機器を用いるので、手軽かつローコストに臨場感のある画像鑑賞を楽しむことができる。
【００３４】
また、画像ファイル５０を読み込んだ後（ｓｔ１１）、画像の選択を行なうのではなく（ｓｔ１２）、リモコン６８の室温切替ボタン７０を操作して室温を設定すると（ｓｔ１６）、パソコン６０の専用ソフトウエアは、前記室温に対応する画像があるかどうかメモリカード３８内を検索する（ｓｔ１７）。この検索に際しては、例えば室温を３０℃に設定すると、例えば２７℃〜３３℃の範囲に入る温度データ５８を有する画像が検索される。なお、メモリカード３８からパソコン６０のハードディスクに画像ファイルをコピーしておき、前記ハードディスクを検索するようにしてもよい。
【００３５】
前記設定された室温に該当する画像が存在しない場合には、別の室温を設定するか、室温を選択するのではなく画像そのものを選択するように促す警告表示がＬＣＤ６２に出される（ｓｔ１８）。前記設定された室温に該当する画像が見つかった場合には、選択候補の画像として、それらのサムネイル画像がＬＣＤ６２に表示される（ｓｔ１９）。
【００３６】
ユーザがリモコン６８の画像切替ボタン６９を操作してカーソルを所望の画像に合わせてからリモコン６８の実行ボタンを押して選択する（ｓｔ２０）と、選択された画像の画像ファイル５０から主画像５３が読み出され、ＬＣＤ６２の画面一杯に再生表示される（ｓｔ１３）。以下、上述したシーケンスと同じであるから説明を省略する。
【００３７】
なお、画像を選択するに際して、サムネイル画像をいきなり表示するのではなく、図７に示すように、ＬＣＤ６２に表示された地図画像８０上にＧＰＳデータ及び日時データに基づいてグルーピング，ソートしたものを表示させるようにしてもよい。この例では、撮影地点がＡ〜Ｈの８箇所に順次移動している様子が明瞭に分かり、撮影した画像を想い出しやすい。そして、例えば黒丸部８１又は日時を表記した枠部８２をマウスでダブルクリック又はリモコン６８で選択・実行すると、その撮影地点で撮影された画像のサムネイル画像が表示されるようにするのが好ましい。
【００３８】
以上説明した実施形態では、デジタルカメラがＧＰＳデータ及び日時データに基づいてインターネット上の環境情報データベースサーバにアクセスして環境情報（温度及び湿度）を取得したが、本発明はこれに限定されることなく、例えばデジタルカメラではＧＰＳデータ及び日時データを取得してこれを画像ファイルのＴａｇ情報としてメモリカードに記憶させ、パソコン側で、インターネット上の環境情報データベースサーバにアクセスして環境情報を取得するようにしてもよい。このようにすれば、デジタルカメラに通信装置（上記実施形態では無線ＬＡＮ回路）を搭載する必要がなくなり、またアクセスポイントの近くで撮影を行なわなければならないという制約を無くすことができる。
【００３９】
また、上記実施形態では、無線ＬＡＮを用いてインターネット上のサーバにアクセスしたが、本発明はこれに限定されることなく、例えばＰＨＳデータ通信を用いてもよい。この場合には、通信速度は遅くなるが、アクセスポイントの近くで撮影しなければならないという制約が無くなる。
【００４０】
また、上記実施形態では、メモリカードを経由して画像ファイルをパソコンに転送したが、本発明はこれに限定されることなく、例えばデジタルカメラを接続コードでパソコンと接続し、デジタルカメラの内部メモリから画像ファイルをパソコンのハードディスクに転送するようにしてもよい。
【００４１】
また、上記実施形態では、音声データの取り込み時間を２秒間としたが、本発明はこれに限定されることなく、例えばシャッタボタンを全押しする前後２秒間で合計４秒間としてもよく、またシャッタボタンを全押ししてから５秒間でもよい。また、上記実施形態では、環境情報データベースから温度データ及び湿度データを取得したが、例えば温度データ又は湿度データのいずれか一方だけでもよい。
【００４２】
また、上記実施形態では、デジタルカメラで直接的に取得する環境情報は、音声データ，日時データ及びＧＰＳデータとしたが、本発明はこれに限定されることなく、例えばデジタルカメラにジャイロセンサを付加して、デジタルカメラの傾きやブレの大きさを取得してもよい。この場合には、パソコン側でデジタルカメラの傾きやブレの大きさに応じて画像処理を行ない、画像をＬＣＤの画面に対して傾けたり、揺らしたりしながら再生表示するのがよい。
【００４３】
また、上記実施形態では、環境情報データベースサーバにアクセスして取得する環境情報の例として、「温度及び湿度」を挙げたが、本発明はこれに限定されることなく、例えば、前記「温度及び湿度」に、更に「風向」や「風速」を追加してもよい。この場合には、前記画像再生装置１２に、扇風機及びこれを制御する制御装置を追加し、「風向」や「風速」の各データに基づいて扇風機を駆動することが好ましい。また、上記実施形態は、撮影装置が静止画を撮影するデジタル（スチル）カメラの例であったが、例えばムービーを撮影するデジタルビデオカメラであってもよい。
【図面の簡単な説明】
【００４４】
【図１】本発明に係るデジタルカメラの構成を示すブロック図である。
【図２】本発明に係る画像再生装置の構成を示すブロック図である。
【図３】環境情報データベースの一例を示す説明図である。
【図４】画像ファイルの構成を示す説明図である。
【図５】デジタルカメラの主なシーケンスを示すフローチャートである。
【図６】画像再生装置の主なシーケンスを示すフローチャートである。
【図７】画像を選択する際のマン−マシン・インターフェースの一例を示す説明図である。
【符号の説明】
【００４５】
１１  デジタルカメラ
１２  画像再生装置
１５  撮像部
１８  制御部
３０  ＧＰＳモジュール
３２  時計
３４  内部メモリ
３８  メモリカード
４０  ＧＰＳ−住所対比テーブル
４２  無線ＬＡＮ回路
４６  環境情報データベースサーバ
５０  画像ファイル
５１  Ｔａｇ情報
５４  日時データ
５５  Exifデータ
５６  音声データ
５７  ＧＰＳデータ
５８  温度データ
５９  湿度データ
６０  パーソナルコンピュータ
６２  ＬＣＤ
６３  スピーカシステム
６４  温湿度環境制御装置
６５  照明照度制御装置
６６  エアコン
６７  室内照明機器
６８  リモコン
６９  画像切替ボタン
７０  室温切替ボタン
【図１】
2008005297.tif 000003
【図２】
2008005297.tif 000004
【図３】
2008005297.tif 000005
【図４】
2008005297.tif 000006
【図５】
2008005297.tif 000007
【図６】
2008005297.tif 000008
【図７】
2008005297.tif 000009